(57)【要約】本発明は、互いに隣接して配置され、発光側に向かって光を放つよう構成される発光素子を備えた発光モジュールと、発光側で発光モジュールの上に配置された最上層とを有し、最上層が、発光素子によって放たれる光に対する透過率の可逆変化が可能な切り替え材料を有する、照明デバイスであって、発光モジュールは、発光素子の一部がスイッチオン状態に至らせられ得、一方、他の発光素子がスイッチオフ状態に至らせられ得るという点で、発光素子が互いから少なくとも部分的に独立してアドレッシング可能であるように構成され、最上層は、スイッチオフ状態にある発光素子の上にある最上層の領域における透過率と比較して、スイッチオン状態にある発光素子の上にある最上層の領域においてより高い透過率へ変化するよう構成される、ことを特徴とする照明デバイスに言及する。本発明は更に、照明デバイスの製造方法、照明デバイスの作動方法、及び照明デバイスの使用に言及する。
2021508406.tif 000002
【特許請求の範囲】
【請求項１】
発光素子（１６ａ〜１６ｃ）を備えた発光モジュールと、
発光側（２０）で前記発光モジュールの上に配置された最上層（２４）と
を有し、
前記発光素子（１６ａ〜１６ｃ）は、互いに隣接して配置され、前記発光側（２０）に向かって光を放つよう構成され、
前記発光モジュールは、前記発光素子（１６ａ〜１６ｃ）の一部がスイッチオン状態に至らせられ得、一方、他の発光素子（１６ａ〜１６ｃ）がスイッチオフ状態に至らせられ得るように、前記発光素子（１６ａ〜１６ｃ）が互いから少なくとも部分的に独立してアドレッシング可能であるように構成され、
前記最上層（２４）は、前記発光素子（１６ａ〜１６ｃ）によって放たれる前記光に対する透過率の可逆変化が可能な切り替え材料を有し、
前記最上層（２４）は、前記スイッチオフ状態にある発光素子（１６ａ〜１６ｃ）の上にある前記最上層（２４）の領域（２８ａ〜２８ｃ）における透過率と比較して、前記スイッチオン状態にある発光素子（１６ａ〜１６ｃ）の上にある前記最上層（２４）の領域（２８ａ〜２８ｃ）においてより高い透過率へ変化するよう構成される、
照明デバイス。
【請求項２】
前記スイッチオン状態にある発光素子（１６ａ〜１６ｃ）の上にある前記最上層（２４）の領域（２８ａ〜２８ｃ）は、半透明特性を有する、
請求項１に記載の照明デバイス。
【請求項３】
前記切り替え材料は、少なくとも１つのサーモクロミック材料を有する、
請求項１又は２に記載の照明デバイス。
【請求項４】
前記少なくとも１つのサーモクロミック材料は、前記発光素子（１６ａ〜１６ｃ）の動作温度に対応する温度で透過率を変化させるよう構成される、
請求項３に記載の照明デバイス。
【請求項５】
前記少なくとも１つのサーモクロミック材料は、少なくとも１つのロイコ染料及び／又は少なくとも１つの金属酸化物を有する、
請求項３又は４に記載の照明デバイス。
【請求項６】
前記切り替え材料は、少なくとも１つのエレクトロクロミック材料を有する、
請求項１乃至５のうちいずれか一項に記載の照明デバイス。
【請求項７】
前記少なくとも１つのエレクトロクロミック材料は、電圧が前記最上層（２４）に印加される場合に、より高い透過率へ変化するよう構成され、あるいは、前記少なくとも１つエレクトロクロミック材料は、電圧が前記最上層（２４）に印加される場合に、より低い透過率へ変化するよう構成される、
請求項６に記載の照明デバイス。
【請求項８】
前記少なくとも１つのエレクトロクロミック材料は、金属酸化物、金属水酸化物、ビオロゲン、共役高分子、金属配位複合体、金属ヘキサシアノクロム酸、及び金属フタロシアニンを有するグループから選択された少なくとも１つを有する、
請求項６又は７に記載の照明デバイス。
【請求項９】
前記最上層（２４）は、少なくとも３０％だけ、特に少なくとも７０％だけ、透過率を変化させるよう構成される、
請求項１乃至８のうちいずれか一項に記載の照明デバイス。
【請求項１０】
前記切り替え材料は、前記発光素子（１６ａ〜１６ｃ）によって放たれる前記光に対する光散乱の可逆変化が可能であり、特に、多孔質シリカを有する、
請求項１乃至９のうちいずれか一項に記載の照明デバイス。
【請求項１１】
前記発光モジュールは、前記発光素子（１６ａ〜１６ｃ）の間に配置された少なくとも１つの光遮蔽要素を更に有する、
請求項１乃至１０のうちいずれか一項に記載の照明デバイス。
【請求項１２】
カメラフラッシュライト又は自動車照明として、特に自動車のヘッドライトとして構成される、
請求項１乃至１１のうちいずれか一項に記載の照明デバイス。
【請求項１３】
照明デバイス、特に、請求項１乃至１２のうちいずれか一項に記載の照明デバイス（１４）を製造する方法であって、
発光素子（１６ａ〜１６ｃ）が発光側（２０）に向かって光を放つように前記発光素子（１６ａ〜１６ｃ）を互いに隣接して配置することによって発光モジュールを設けることであり、該発光モジュールは、前記発光素子（１６ａ〜１６ｃ）の一部がスイッチオン状態に至らせられ得、一方、他の発光素子（１６ａ〜１６ｃ）がスイッチオフ状態に至らせられ得るように、前記発光素子（１６ａ〜１６ｃ）が互いから独立してアドレッシング可能であるように構成される、前記設けることと、
前記発光素子（１６ａ〜１６ｃ）によって放たれる前記光に対する透過率の可逆変化が可能な切り替え材料を有する最上層（２４）を設けることと、
前記発光側（２０）で前記発光モジュールの上に前記最上層（２４）を配置することと
を有し、
前記最上層（２４）は、前記スイッチオフ状態にある発光素子（１６ａ〜１６ｃ）の上にある前記最上層（２４）の領域（２８ａ〜２８ｃ）における透過率と比較して、前記スイッチオン状態にある発光素子（１６ａ〜１６ｃ）の上にある前記最上層（２４）の領域（２８ａ〜２８ｃ）においてより高い透過率へ変化するよう構成される、
方法。
【請求項１４】
請求項１乃至１２のうちいずれか一項に記載の照明デバイス（１４）の作動方法であって、
前記発光素子（１６ａ〜１６ｃ）の一部をスイッチオン状態に至らせ、他の発光素子（１６ａ〜１６ｃ）をスイッチオフ状態に至らせることと、
前記スイッチオフ状態にある発光素子（１６ａ〜１６ｃ）の上にある前記最上層（２４）の領域（２８ａ〜２８ｃ）における透過率と比較して、前記スイッチオン状態にある発光素子（１６ａ〜１６ｃ）の上にある前記最上層（２４）の領域（２８ａ〜２８ｃ）においてより高い透過率へ前記最上層（２４）を変化させることと
を有する方法。
【請求項１５】
カメラフラッシュライト又は自動車照明として、特に自動車のヘッドライトとしての請求項１乃至１２のうちいずれか一項に記載の照明デバイス（１４）の使用。
【発明の詳細な説明】
【技術分野】
【０００１】
本開示は、発光ダイオード（ＬＥＤ）などの発光素子が互いに隣接して配置され、互いから独立してアドレッシングされるよう構成されている発光モジュールを備えた照明デバイスに関係がある。
【背景技術】
【０００２】
照明デバイスは、複数の発光素子、例えば、ＬＥＤ又はＬＥＤパッケージ、の配置を有し得る。いくつかの応用について、いわゆる「セグメントＬＥＤ」が提案されている。セグメントＬＥＤにおいて、ＬＥＤは、一部のＬＥＤがスイッチオン状態に至らせられ得、一方、他のＬＥＤはスイッチオフ状態のままである点で、互いから少なくとも部分的に独立してアドレッシングされるよう構成される。すなわち、照明デバイスのセグメントはアクティブにされ得、一方、他のセグメントは非アクティブである。これにより、照明デバイスによって放たれる光の全強度は、光の形状及び強度分布と同様に、変化することができる。異なる色のＬＥＤが使用される場合において、セグメントＬＥＤはまた、放射光の色の変化も提供し得る。
【０００３】
ＬＥＤのような発光素子は、通常、一定量の側方光拡散を有している。発光素子は、実質的に一方向において、例えば、発光側又は面から、光を放つよう構成され得るが、光の部分は、他の方向に向かっても放たれる。ＬＥＤ又はＬＥＤパッケージのような発光素子はまた、通常、基板、波長変換要素、及び拡散層のような要素を有するアーキテクチャを与えられる。かようなアーキテクチャは、発光側から離れてＬＥＤによって放たれる光の拡散をもたらすことがあり、従って、側方光拡散の量を増大させる。
【０００４】
側方光拡散は、例えば、セグメントＬＥＤにおいて、発光素子が互いに隣接して配置される場合に、特に問題になる可能性がある。セグメントＬＥＤが部分的にしかアクティブにされない場合において、アクティブなセグメントからの光は、非アクティブなセグメントに届くことがある。従って、光はアクティブなセグメントから現れるだけでなく、隣接する非アクティブなセグメントからも、より小さい強度で現れる。結果として、セグメント間の光の“漏れ”又は望ましくないクロストークが出現して、照明デバイスの強度コントラストを弱める。光変換要素が設けられる場合に、非アクティブなセグメントの光変換要素は、アクティブなセグメントによって照射されて、セグメント間の望ましくない色差をもたらすことがある。異なった色を供給するセグメントを有するセグメントＬＥＤでは、色コントラストの減損も起こる可能性がある。
【０００５】
側方光拡散に起因したコントラストの減損を減らす可能性は、個々の発光素子又は個々のセグメント間に反射要素を設けることである、しかし、かような反射要素は、発光素子が、反射要素を収容するために一定の最低限の距離で配置される必要がある点で、通常、発光素子間の間隔を制限する。その上、製造費用は、追加の要素が照明デバイスに組み込まれる必要があるということで、増大する。
【０００６】
国際公開第２０１７／１３４５８９（Ａ１）号（特許文献１）には、１つ以上の元素及び少なくともゲルマニウムをドープされた酸化バナジウムを有するコーティングが開示されている。
【０００７】
米国特許第９８５７０４９（Ｂ１）号（特許文献２）は、担体構造、サスペンション構造、及び発光構造を備えたＬＥＤ照明デバイスに関する。
【０００８】
国際公開第２０１７／１０４３１３（Ａ１）号（特許文献３）には、粒子を含む二酸化バナジウムを含む光学フィルムであって、近赤外線遮蔽率が温度環境に応じて調整されるものが記載されている。
【０００９】
米国特許第９１１７７７６（Ｂ２）号（特許文献４）は、色変化材料が表示パネル上に設けられている有機発光ディスプレイに関する。
【００１０】
米国特許第９４３１６３５（Ｂ２）号（特許文献５）には、有機官能層構造を備えた電気的にアクティブな領域を含む発光部品が記載されている。電気的にアクティブな領域の外には、サーモトロピック層が配置されている。
【先行技術文献】
【特許文献】
【００１１】
【特許文献１】国際公開第２０１７／１３４５８９（Ａ１）号
【特許文献２】米国特許第９８５７０４９（Ｂ１）号
【特許文献３】国際公開第２０１７／１０４３１３（Ａ１）号
【特許文献４】米国特許第９１１７７７６（Ｂ２）号
【特許文献５】米国特許第９４３１６３５（Ｂ２）号
【発明の概要】
【００１２】
本発明の目的は、互いから独立してアドレッシング可能な発光素子を備え、スイッチオン状態にある発光素子とスイッチオフ状態にある発光素子との間の照明のコントラストを強める照明デバイスを提供することである。本発明は更に、上記の目的に基づくかような照明デバイスの製造方法及び歌謡な照明デバイスの使用に関係がある。
【００１３】
本発明の第１の態様に従って、発光素子を備えた発光モジュールと、発光側で発光モジュールの上に配置された最上層とを有し、発光素子は、互いに隣接して配置され、発光側に向かって光を放つよう構成され、発光モジュールは、発光素子の一部がスイッチオン状態に至らせられ得、一方、他の発光素子がスイッチオフ状態に至らせられ得るように、発光素子が互いから少なくとも部分的に独立してアドレッシング可能であるように構成され、最上層は、発光素子によって放たれる光に対する透過率の可逆変化が可能な切り替え材料を有し、最上層は、スイッチオフ状態にある発光素子の上にある最上層の領域における透過率と比較して、スイッチオン状態にある発光素子の上にある最上層の領域においてより高い透過率へ変化するよう構成される、照明デバイスが提供される。
【００１４】
本発明の第２の態様に従って、照明デバイス、特に、第１の態様に従う照明デバイスを製造する方法であって、発光素子が発光側に向かって光を放つように発光素子を互いに隣接して配置することによって発光モジュールを設けることであり、発光モジュールは、発光素子の一部がスイッチオン状態に至らせられ得、一方、他の発光素子がスイッチオフ状態に至らせられ得るように、発光素子が互いから独立してアドレッシング可能であるように構成される、前記設けることと、発光素子によって放たれる光に対する透過率の可逆変化が可能な切り替え材料を有する最上層を設けることと、発光側で発光モジュールの上に最上層を配置することとを有し、最上層は、スイッチオフ状態にある発光素子の上にある最上層の領域における透過率と比較して、スイッチオン状態にある発光素子の上にある最上層の領域においてより高い透過率へ変化するよう構成される、方法が提供される。
【００１５】
本発明の第３の態様に従って、第１の態様に従う照明デバイスの作動方法であって、発光素子の一部をスイッチオン状態に至らせ、他の発光素子をスイッチオフ状態に至らせることと、スイッチオフ状態にある発光素子の上にある最上層の領域における透過率と比較して、スイッチオン状態にある発光素子の上にある最上層の領域においてより高い透過率へ最上層を変化させることとを有する方法が提供される。
【００１６】
本発明の第４の態様に従って、第１の態様に従う照明デバイスは、カメラフラッシュライトとして又は自動車照明において、特に自動車のヘッドライトとして設けられる。
【００１７】
本発明の第１、第２、第３、及び第４の態様の例となる実施形態は、後述される特性のうちの１つ以上を有し得る。
【００１８】
発光モジュールは発光素子の配置を有してよく、発光素子は互いに隣接して配置される。特に、発光素子のアレイは、例えば、１次元又は１×Ｎのアレイで設けられ、複数の発光素子は、１つの方向に沿って互いに隣接して配置される。発光素子はまた、２次元アレイとして配置されてもよく、発光素子は、例えば、発光素子の３×３又は３×２アレイのように、面又は平面上に互いに隣接して配置される。発光素子のアレイはまた、より大きくてもよく、例えば、３×７又は５×４０の発光素子のアレイは、特に自動車用途のために、可能である。発光素子のアレイは規則的であってもよく、隣接する発光素子間の距離は同じようである。発光素子のアレイはまた、異なったサイズの発光素子を有してもよく、例えば、異なるセグメントが、異なるサイズの発光素子から形成される。
【００１９】
“互いに隣接して”配置される発光素子の下で、各発光素子は、側方光拡散による発光素子間のクロストークが実在するほど他の発光素子に近づけられる、と理解され得る。特に、発光素子間の最小距離は、発光素子の発光面の寸法と同程度か又はそれより小さくなり得る。例えば、発光素子、特にＬＥＤ、の発光面の寸法は、ミリメートルの大きさ、特に１ｍｍ２から１００ｍｍ２、例えば、約１．５ｍｍ×１．５ｍｍであってよい。隣接する発光素子間の距離は、１ｍｍに満たず、特に、０．５ｍｍよりも小さくてよい。いくつかの実施形態で、発光素子は、発光素子の側面が互いに直接に接するか又は境を接するように配置されてよい。
【００２０】
発光素子は、発光素子が発光側に向かって光を放つように配置される。例えば、発光素子は発光面を備え、発光モジュール内の発光素子の発光面は、実質的に同じ方向に面している。特に、発光モジュールの発光素子は、実質的に同じ面に、例えば、同じ基板上に配置され、特に、同じ平面内に配置されてよい。
【００２１】
発光素子は、特に、発光可能な少なくとも１つの半導体素子を有してよい。特に、少なくとも１つの発光素子は、少なくとも１つのＬＥＤを有してよい。ＬＥＤは、ｐ−ｎ−接合、ダイオード、及び／又はトランジスタなどの少なくとも１つの半導体素子を有してよい。例えば、ＬＥＤは、別個の又は結合されたＬＥＤダイ及び／又はＬＥＤパッケージの形で設けられてよく、特定の少なくとも１つのＬＥＤは、基板、例えば、サファイア基板上に配置されてよい。ＬＥＤパッケージは、波長変換素子（例えば、蛍光体に基づく）を有してよく、かつ／あるいは、拡散層、回折要素（例えば、レンズ）、及び／又は反射要素（例えば、反射体カップ）などの少なくとも１つの光学素子を有してよい。少なくとも１つのＬＥＤは、例えば、ＬＥＤリードフレームに組み込まれてよい。ＬＥＤは、特に、無機化合物に基づく。他の実施形態では、ＬＥＤは、例えば、ＯＬＥＤの形で、有機化合物に基づいてよい。いくつかの実施形態で、異なる色を供給する異なるタイプのＬＥＤが使用される。
【００２２】
発光素子はまた、レーザなどの他の光源に基づいてもよい。例えば、レーザは、特に、波長変換要素（例えば、蛍光体に基づく）に光を送り込むために、使用され得る。レーザは、例えば、レーザダイオード又は端面発光レーザに基づいてよい。特に、ＶＣＳＥＬアレイのように、垂直共振器面発光レーザ（vertical-cavity  surface-emitting  lasers）（VＣＳＥＬ）が使用されてよい。
【００２３】
発光素子は、発光素子の一部がスイッチオン状態に至らせられ得、一方、他の発光素子がスイッチオフ状態に至らせられるという点で、互いから少なくとも部分的に独立してアドレッシングされるよう構成される。従って、照明デバイスは、発光素子のセグメントにおいて照射を供給し得る。ここで、照射は、発光素子の異なるセグメントをスイッチオン状態に至らせることによって変更され得る。スイッチオフ状態又はスイッチオン状態に“至らせる”ことはまた、発光素子の現在の状態は保たれ、一方、少なくとも１つの他の発光素子の状態は変化する、ことを意味する。
【００２４】
発光モジュールは、特に、発光素子のための電気接点及び電気伝導要素、例えば、電源への発光素子の接触を提供する配線及び印刷回路基板、を有する。発光素子のための電気接点及び／又は電気伝導要素は、発光素子の少なくとも一部が独立してアドレッシングされ得る、すなわち、発光素子の少なくとも一部が互いから独立してエネルギを供給され得る、ように構成されてよい。いくつかの実施形態で、照明デバイスは、発光素子の独立したアドレッシングを制御する制御手段を有してよい。いくつかの実施形態で、発光素子はグループ化されてよく、発光素子のグループが、互いから独立してアドレッシングされてよい。他の実施形態では、発光モジュールの全ての発光素子が、互いから独立してアドレッシングされるよう構成される。
【００２５】
互いから独立してアドレッシングされるよう構成される発光素子は、別個のコンポーネント、例えば、別個のＬＥＤ及び／又は別個のＬＥＤパッケージのような別個の半導体素子に基づいて設けられてよい。他の実施形態では、発光素子の少なくとも一部は、モノリシック素子、例えば、独立してアドレス可能なセグメントを備えたモノリシックＬＥＤダイのようなモノリシック半導体素子において、一緒に形成される。“発光素子”は、この意味で、互いから独立してアドレッシング可能であるセクションから光を放つことができる（例えば、モノリシック）素子を指し得る。
【００２６】
最上層は、発光素子によって、特に、発光素子の発光面によって放たれる光が少なくとも部分的に、照明デバイスが作動されるときに照射のために最上層を通るように、発光側で発光モジュールの上に配置される。
【００２７】
最上層は、発光素子によって放たれる光に対する透過率の可逆変化が可能な切り替え材料を有するということで、スイッチオン状態にある発光素子とスイッチオフ状態にある発光素子との間のコントラストは、強化され得る。切り替え材料により、最上層は、スイッチオフ状態にある発光素子の上にある最上層の領域における透過率と比較して、スイッチオン状態にある発光素子の上にある最上層の領域においてより高い透過率へ変化するよう構成される。すなわち、スイッチオフ状態にある発光素子の上にある最上層の領域における透過率は、スイッチオン状態にある発光素子の上にある最上層の領域と比較して有効に低減されるか又は遮蔽される。従って、スイッチオン状態にある発光素子からスイッチオフ状態にある発光素子への、例えば、側方放射、素子内の全内部反射（例えば、発光素子のレイヤード構造における有効な導光）及び／又は散乱によって引き起こされる側方光拡散による、光漏出は、スイッチオフ状態にある発光素子の領域内の最上層で少なくとも部分的に遮られる。結果として、光の伝送は、スイッチオン状態にある発光素子の上にある最上層の領域で大部分が起こる。
【００２８】
最上層の透過率は、特に、最上層を通って伝えられる入射光の割合と理解され得る。入射光は、最上層の第１の面に衝突する発光素子によって放たれた光であってよく、光の一部は、第１の面の反対にある最上層の第２の面へ伝えられる。伝達は、全透過度、すなわち、吸収、散乱、又は反射されずに伝達される入射電磁エネルギの比、と理解され得る。例えば、切り替え材料は、光の散乱の、伝達される光の色の、及び／又は光の吸収の可逆変化、例えば、黒から透明又は半透明への変化が可能であってよい。
【００２９】
特に、透過率が百分率で測定される場合に（０％は、最上層を通る発光素子の電磁エネルギがないことに対応し、１００％は、発光素子の全ての電磁エネルギが最上層を通ることに対応する）、最上層は、少なくとも１０％だけ、特に、少なくとも３０％だけ、透過率を変化させるよう構成されてよい。いくつかの実施形態で、最上層は、少なくとも７０％だけ、特に、少なくとも８０％だけ、透過率を変化させるよう構成されてよい。
【００３０】
本発明の例となる実施形態で、スイッチオン状態にある発光素子の上にある最上層の領域は、半透明特性を有する。特に、切り替え材料は、実質的に不透明の特性から半透明特性への可逆変化のために構成されてよい。最上層の領域の半透明特性により、スイッチオン状態にある発光素子によって放たれ、最上層を通って伝達される光は、より拡散しかつより柔らかい照射を得るように散乱される。いくつかの実施形態で、ＬＥＤ及び／又はＬＥＤパッケージなどの発光素子の上の１つ以上の追加の拡散層は、従って省略可能であり、照明デバイスの製造を簡単にする。
【００３１】
本発明の他の例となる実施形態で、切り替え材料は、少なくとも１つのサーモクロミック材料を有する。サーモクロミック材料は、最上層の領域の透過率が温度の変化に基づいて変化し得るように、温度に応じて透過率を変化させ得る。特に、サーモクロミック材料は、温度の上昇とともに透過率を増大させるよう構成されてよい。従って、透過率を変化させるように、スイッチオン状態にある発光素子の上の最上層の領域は、加熱されるよう構成されてよく、かつ／あるいは、スイッチオフ状態にある発光素子の上にある最上層の領域は、冷却されるよう構成されてよい。
【００３２】
領域の加熱及び／又は冷却は、最上層の領域の温度を制御することができる加熱手段及び／又は冷却手段が設けられるという意味で、アクティブであることができる。加熱手段及び／又は冷却手段は、例えば、制御手段によって、発光素子のアドレッシングとともに制御されてよい。領域の加熱はまた、照明デバイスの他の要素の排熱が使用されるという意味で、パッシブであってもよい。
【００３３】
特に、スイッチオン状態にある発光素子は、熱を生成して、対応する領域内の最上層へ熱を伝えてよい。発光素子は、対流によって最上層へ熱を伝えてよい。熱伝導要素も設けられてよく、例えば、発光素子のヒートシンクが最上層へ接続される。特に、ＬＥＤが発光素子として使用される場合に、相当な排熱が生成される可能性があり、熱を最上層へ供給するために使用可能である。蛍光体層を有する白色ＬＥＤのような、波長変換要素を備えたＬＥＤは、より高い光子エネルギからより低い光子エネルギへの変換により適切な量の熱を生成し得る。
【００３４】
本発明の例となる実施形態で、少なくとも１つのサーモクロミック材料は、発光素子の動作温度に対応する温度で透過率を変化させるよう構成される。例えば、サーモクロミック材料の透過率が最大の変化を有する温度範囲は、発光素子の動作によって引き起こされる最上層の温度範囲に対応する。これにより、透過率の変化は、最上層がコントラストを強めるように領域内で透過率を自動的に変化させるように、発光素子自体の排熱によって引き起こされ得る。典型的な温度範囲は、照明デバイスの用途及び全体的なヒートシンキングに依存する。より高い電流を必要とするカメラフラッシュのような用途又は他の用途に特に適した温度範囲は、１００℃から２５０℃、特に１５０℃から２３０℃であってよい。他の用途は、より低い温度、例えば、５０℃から１５０℃で作動し得る。
【００３５】
本発明の他の例となる実施形態で、少なくとも１つのサーモクロミック材料は、少なくとも１つのロイコ染料及び／又は少なくとも１つの金属酸化物を有する。少なくとも１つのロイコ染料（leuco  dye）は、トリフェニルメタン（triphenyle  methane）、硫化染料（sulfur  dyes）、及びインディゴ染料（indigo  dyes）に基づく染料のグループから選択され得る。トリフェニルメタンに基づく染料は、アニリングリーン（aniline  green）、マラカイトグリーン（malachite  green）、及び／又はチャイナグリーン（china  green）のような染料を有してよい。硫化染料は、特に、ポリ硫化ナトリウム（sodium  polysulfide）に反応した芳香族化合物、例えば、サルファブラック（sulfur  black）、サルファブルー（sulfur  blue）、及びサルファイエロー（sulfur  yellow）、から取得されてよい。インディゴ染料は、自然発生源から取得されてよい。サーモクロミック材料としてのロイコ染料の更なるタイプは、クリスタルバイオレットラクトン（crystal  violet  lactone）ロイコ染料（ＣＶＬ）である。
【００３６】
金属酸化物も、サーモクロミック特性を有することがあり、特に、ＶＯ２などの遷移金属が使用されてよい。
【００３７】
適切な範囲での透過率の高い変化、最上層のための特定の色、及び／又は最上層の半透明若しくは透明特性を得るために、例えば、異なるロイコ染料の混合のように、種々のタイプのサーモクロミック材料が、最上層のために組み合わされてよい。
【００３８】
本発明の他の例となる実施形態で、切り替え材料は、少なくとも１つのエレクトロクロミック材料を有する。最上層は、電圧が、少なくとも１つのエレクトロクロミック材料を用いて透過率を変化させるよう最上層の領域に印加され得るように、構成されてよい。
【００３９】
本発明の例となる実施形態で、少なくとも１つのエレクトロクロミック材料は、電圧が最上層に印加される場合に、より高い透過率へ変化するよう構成される。従って、電圧は、より高いコントラストを供給するよう、かつ、発光素子のクロストークを回避するよう、スイッチオン状態にある発光素子の上にある最上層の領域に印加されてよい。反対に、少なくとも１つエレクトロクロミック材料は、電圧が最上層に印加される場合に、より低い透過率へ変化するよう構成されてよい。電圧は、スイッチオフ状態にある発光素子の上にある最上層の領域に、又は少なくとも、スイッチオン状態にある発光素子の上にある最上層の領域に隣接する最上層の領域に印加されてよい。特に、発光素子に電気エネルギを供給する接続要素がまた最上層へ接続され、最上層の対応する領域へ電圧を供給してよい。
【００４０】
本発明の他の例となる実施形態で、少なくとも１つのエレクトロクロミック材料は、金属酸化物、金属水酸化物、ビオロゲン、共役高分子、金属配位複合体、金属ヘキサシアノクロム酸、及び金属フタロシアニンを有するグループから選択された少なくとも１つを有する。エレクトロクロミック金属酸化物は、例えば、ＷＯ３、ＮｉＯ、ＭｏＯ３、Ｖ２Ｏ５、及びＮｂ２Ｏ５のグループから選択され得る。エレクトロクロミック材料は、例えば、重合体ビオロゲン（polymetric  viologens）、エチルビオロゲン（ethyl  viologen）、ヘプチルビオロゲン（heptyl  viologen）、及び／又は（ビニル）ベンジルビオロゲン（（vinyl）benzyl  viologen）などのビオロゲンに基づいてよい。共役高分子として、特に、共役導電性高分子、例えば、ポリピロール（polypyrrole）、ポリチオフェン（polythiophene）、及び／又はポリアニリン（polyaniline）（ＰＡＮＩ）が使用されてよい。金属配位複合体及び／又はメタロポリマ（metallopolymer）は、特にピリジンに基づいたＭｏ、Ｆｅ、Ｒｕ、Ｏｓ複合体を含み得る。金属ヘキサシアノクロム酸は、プルシアンブルー（Prussian  blue）及び／又はルテニウムパープル（Ruthenium  purple）を有し得る。金属フタロシアニンの例は、［Ｌｕ（Ｐｃ）２］及びＣｏ（ＩＩ）フタロシアニンである。
【００４１】
本発明の他の例となる実施形態で、切り替え材料はカプセル化される。例えば、ロイコ染料のような切り替え材料はカプセル化され、特にマイクロカプセル化されてよい。例えば、切り替え材料を含む内側部分と、保護材料を有する外側部分とを備えたカプセルが、提供されてよい。切り替え材料は、１μｍから５０μｍ、特に５μｍから１０μｍの平均寸法を有するカプセルでカプセル化されてよい。また、切り替え材料、例えば、ロイコ染料は、切り替え材料を多孔質材料内に配置することによって、カプセル化されることも可能である。カプセル化された切り替え材料は、特に、最上層の中に組み込まれてよい。その上、又は代替案として、切り替え材料は、最上層のコーティングとして設けられてもよい。切り替え材料を有するコーティングは、最上層の片面又は両面に適用される。コーティングは、懸濁体、粉末、溶媒に基づいたインク、シリコーン（silicone）のような樹脂として、かつ／あるいは、切り替え材料を有するマスターバッチに基づいて、適用されてよい。
【００４２】
本発明の例となる実施形態で、切り替え材料は、発光素子によって放たれる光に対する光散乱の可逆変化が可能である。例となる実施形態で、切り替え材料は、多孔質構造を有してよく、多孔質構造は、複数のサブミクロン孔を有する非光吸収材料構造と、ポリマーマトリックスとを有し、ポリマーマトリックスは、非光吸収材料構造とポリマーマトリックスとの間のインターフェイスを形成するように複数のサブミクロン孔を満たし、非光吸収材料構造の屈折率は、第１の温度でポリマーマトリックスの屈折率とは異なり、非光吸収材料構造の屈折率とポリマーマトリックスの屈折率との間の屈折率差は、光機能多孔質構造内の複数のサブミクロン孔が第１の温度で光散乱能力を有するほどであり、非光吸収材料構造の屈折率とポリマーマトリックスの屈折率との間の屈折率差は、第２の温度で、複数のサブミクロン孔の光散乱能力が低下するほどに小さくなる。ポリマーマトリックスは、特に、シリコーンに基づいてよい。
【００４３】
非光吸収材料構造の屈折率よりも大きいポリマーマトリックスの屈折率により、２つの材料の間のインターフェイスでは光散乱効果が現れる。温度が第２の温度に変化すると、ポリマーマトリックスの屈折率は小さくなり、それにより、サブミクロン孔の形状の輪郭を描く非光吸収材料の屈折率と、サブミクロン孔を満たすポリマーマトリックスのそれとの間の屈折率差は小さくなり、結果として、サブミクロン孔と誘電体表面とのインターフェイスによる光散乱は消える。従って、対応する多孔質構造は、透過率の可逆変化をもたらすことができ、切り替え材料として使用され得る。
【００４４】
特に、非光吸収材料構造の屈折率は、第１の温度でのポリマーマトリックスの屈折率よりも小さく、第２の温度は第１の温度よりも高く、それにより、例えば、発光素子の排熱は、散乱の低下を、従って、透過率の増大を引き起こし得る。
【００４５】
本発明の例となる実施形態で、切り替え材料は多孔質シリカを有する。特に、多孔質構造の非光吸収材料構造は、多孔質シリカから形成される。非光吸収材料構造は、多孔質構造にわたって分散された複数のミクロンサイズの多孔性粒子を形成してよく、複数のサブミクロン孔は、複数のミクロンサイズの多孔性粒子内に位置する。複数のミクロンサイズの多孔性粒子は、例えば、１０μｍから５０μｍの直径を有してよい。複数のサブミクロン孔のうちの各サブミクロン孔は、５０ｎｍから４００ｎｍの内径を有してよい。
【００４６】
いくつかの実施形態で、非光吸収材料構造は、複数のサブミクロン孔の相互接続されたネットワークを有するメッシュスラブを形成する。多孔質構造はまた、空気間隙を更に有してよく、ポリマーマトリックスが熱膨張するにつれて、空気間隙によって占有される空間は小さくなり、光散乱は減り、ポリマーマトリックスが縮むにつれて、空気間隙によって占有される空間は大きくなり、光散乱は増える。
【００４７】
光散乱の可逆変化が可能な切り替え材料による他の実施形態では、切り替え材料は、ＭｇＦ２に基づく散乱要素を有してよく、散乱要素は、特に、マトリクス材、例えば、ジメチルシリコーン（dimethylsilicone）に基づくマトリクス材に埋め込まれる。
【００４８】
本発明の他の例となる実施形態で、発光モジュールは、発光素子の間に配置された少なくとも１つの光遮蔽要素を更に有する。少なくとも１つの光遮蔽要素は、スイッチオン状態にある発光素子からスイッチオフ状態にある発光素子への光漏出の量を更に減らすように、発光素子の間にある反射又は吸収要素として構成されてよい。
【００４９】
本発明のいくつかの実施形態で、照明デバイスは、カメラフラッシュとして構成される。特に、適応フラッシュ照明において、ＬＥＤのセグメントのような発光素子の異なるセグメントを独立してアドレッシングすることは、最適化された照射のために使用され得る。例えば、照明デバイスは、可変な輝度を有する更なる照明を提供するように写真撮影の分野で使用されてよい。自動車照明において、特に、自動車のヘッドライトとして、照明デバイスは、可変な照射のために使用されてよい。本発明に従う照明デバイスにより、照射は、グレア（glaring）のリスクを減らしながら高い視認性のために最適化され得る。
【００５０】
本発明に従う照明デバイスを作動させるとき、発光素子の一部は、スイッチオン状態に至らせられ得る。すなわち、特定のセグメントがアドレッシングされる。残りの発光素子は、スイッチオフ状態に保たれるか、又はスイッチオフ状態に至らせられ得る。それにより、アクティブなセグメントと非アクティブなセグメントとの間のコントラストを伴ったセグメント照射が得られる。最上層は、スイッチオフ状態にある発光素子の上にある最上層の領域での透過率と比較して、スイッチオン状態にある発光素子の上にある最上層の領域でより高い透過率へ変化し得る。最上層の透過率の変化は、例えば、エレクトロクロミック材料を有する最上層への電圧の印加によって、アクティブであってよい。透過率の変化はまた、発光素子によって、例えば、少なくとも１つのサーモクロミック材料を有する最上層の透過率の変化を引き起こす排熱によって、引き起こされてもよい。
【００５１】
上記の本発明の特徴及び例となる実施形態は、本発明に従う異なった態様に等しく関係があり得る。特に、第１の態様に従う照明デバイスに関する特徴の開示により、第２及び第３の態様に従う方法並びに第４の態様に従う使用に関する対応する特徴も開示される。
【００５２】
この範囲における本発明の実施形態の紹介は、単に例示であって、非限定的であることが理解されるべきである。
【００５３】
本発明の他の特徴は、添付の図面とともに検討される以下の詳細な説明から明らかになるだろう。なお、図面は、単に実例のために設計され、本発明の制限の定義としてではなく、本発明の制限については、添付の特許請求の範囲が参照されるべきであることが理解されるべきである。更に、図面は、実寸通りではなく、それは単に、本願で記載される構造及びプロシージャを概念的に説明するよう意図される。
【００５４】
これより、本発明の例について、添付の図面を参照して、詳細に説明する。
【図面の簡単な説明】
【００５５】
【図１】側面から照明デバイスの概略図を示す。
【図２】上面から図１の照明デバイスの概略図を示す。
【図３】側面から本発明に従う照明デバイスの第１実施形態の概略図を示す。
【図４】上面から照明デバイスの第１実施形態の概略図を示す。
【図５】側面から、発光素子の状態が異なっている照明デバイスの第１実施形態の概略図を示す。
【図６】上面から、発光素子の状態が異なっている照明デバイスの第１実施形態の概略図を示す。
【発明を実施するための形態】
【００５６】
図１は、側面から照明デバイス２の概略図を示す。ＬＥＤ４ａ〜４ｃは、基板６の上で互いに隣接して配置されており、発光側８に向かって光を放つよう構成される。照明デバイス２はまた、図２で上面からも示されている。ＬＥＤ４ａ〜４ｃは、セグメントＬＥＤモジュールを形成しており、ＬＥＤ４ａ〜４ｃのうちのいくつかがスイッチオン状態に至らせられ得、一方、他のＬＥＤ４ａ〜４ｃがスイッチオフ状態に至らせられるという点で、互いから独立してアドレッシング可能である。図１及び２では、ＬＥＤ４ｂはスイッチオン状態にあり、矢印１０によって示されるように光を放ち、一方、ＬＥＤ４ａ及び４ｃはスイッチオフ状態にあり、非アクティブである。
【００５７】
ＬＥＤ４ａ〜４ｃは、ＬＥＤ４ａ〜４ｃによって発せられた光が発光側８に向かって放射されるだけでなく、発光側８から離れて横方向に放射され、反射され、かつ／あるいは、散乱されるということで、側方光拡散によって影響を及ぼされる。ＬＥＤ４ａ〜４ｃは互いに隣接して配置されているので、光は、アクティブなセグメントから非アクティブなセグメントへ漏れる可能性がある。結果として、光１０は、スイッチオン状態にあるＬＥＤ４ｂから発せられているようにのみ現れない。非アクティブなＬＥＤ４ａ及び４ｃの部分も、光１２により照射されているように見える。従って、ＬＥＤ４ａ〜４ｃの間の光クロストーク又はカラーオーバーが起こり、照明デバイス２のコントラストを低下させる。
【００５８】
図３は、側面から本発明に従う照明デバイス１４の概略図を示す。図４は、対応する正面図を示す。発光素子１６ａ〜１６ｃ及び基板１８を備えた発光モジュールが設けられる。発光素子１６ａ〜１６ｃは、基板１８の上で互いに隣接して配置されている。それにより、発光素子１６ａ〜１６ｃは、発光側２０に向かって光を放つよう構成される。発光モジュールは、発光素子１６ａ〜１６ｃの一部がスイッチオン状態に至らせられ得、一方、他の発光素子１６ａ〜１６ｃがスイッチオフ状態に至らせられ得るという点で、発光素子１６ａ〜１６ｃが互いから独立してアドレッシング可能であるように構成される。例えば、各発光素子１６ａ〜１６ｃは、電気エネルギの独立した供給を、従って、発光素子１６ａ〜１６ｃの独立したアクティブ化を、可能にする電気接続要素（図示せず。）を備えている。発光素子１６ａ〜１６ｃは、ＬＥＤ及び／又はＬＥＤパッケージを有してよい。発光モジュールは、従って、ＬＥＤのセグメントが独立してアドレッシングされ得るという点で、セグメントＬＥＤモジュールに相当し得る。図３及び４で、発光素子ＬＥＤ１６ｂはスイッチオン状態にあり、矢印２２によって示されるように光を放ち、一方、ＬＥＤ１６ａ及び１６ｂはスイッチオフ状態にあり、非アクティブである。
【００５９】
最上層２４は、発光側２０で発光モジュールの上に配置されており、最上層２４は、発光素子１６ａ〜１６ｃによって放たれる光に対する透過率の可逆変化が可能な切り替え材料を有する。図１及び２に関連して上述されたように、側方光拡散が起こり、発光素子１６ｂによって発せられた光は、発光側２０に向かって放射されるだけでなく、発光側２０から離れて横方向に放射され、反射され、かつ／あるいは、散乱される。従って、光は、非アクティブな発光素子１６ａ、１６ｃへ漏れ出す可能性があり、非アクティブな発光素子１６ａ、１６ｃの部分は、光２６により照射されているように見えることになる。最上層２４は、スイッチオフ状態にある発光素子１６ａ、１６の上にある最上層の領域２８ａ、２８ｃにおける透過率と比較して、スイッチオン状態にある発光素子１６ｂの上にある最上層の領域２８ｂにおいてより高い透過率へ変化するよう構成されるので、発光素子１６bの側方光拡散に由来する光２６は、より低い透過率を有する最上層の領域２８ａ、２８ｃでは少なくとも部分的に遮られる。特に、光２６の実質的な部分は、最上層２４の領域２８ａ、２８ｃで散乱及び／又は吸収され得、一方、光２２の実質的な部分は、最上層２４の領域２８ｂを通って伝達され得る。特に、スイッチオン状態にある発光素子１６ｂの上にある最上層２４の領域２８ｂは、半透明特性を有している。
【００６０】
切り替え材料は、透過率の可逆変化が可能であり、それにより、最上層２４の領域２８ａ〜２８ｃの透過率は、アクティブである発光素子１６ａ〜１６ｃの選択に従って変化し又は切り替えられ得る。図５及び６は、スイッチオン状態にある発光素子１６ａ、１６ｃ及びスイッチオフ状態にある発光素子１６ｂを備えた照明デバイス１４の側面図及び上面図を夫々示す。従って、最上層２４は、スイッチオフ状態にある発光素子１６ｂの上にある最上層の領域２８ｂにおける透過率と比較して、スイッチオン状態にある発光素子１６ａ、１６ｃの上にある最上層の領域２８ａ、２８ｃにおいてより高い透過率へ変化する。
【００６１】
切り替え材料は、特に、温度により透過率を変化させることができる少なくとも１つのロイコ染料及び／又は少なくとも１つの金属酸化物などの少なくとも１つのサーモクロミック材料を有してよい。少なくとも１つのサーモクロミック材料は、発光素子１６ａ〜１６ｃの動作温度に対応する温度で透過率を変化させるよう構成されてよい。それにより、発光素子１６ａ〜１６ｃ、特に、波長変換要素として蛍光体を備えた白色ＬＥＤによって生成された排熱は、透過率の変化を引き起こすのに十分である。切り替え材料は、特に、カプセル化される。カプセル化されたロイコ染料は、例えば、最上層２４の中に組み込まれるか、あるいは、最上層２４の上にコーティングとして設けられてよい。
【００６２】
代替案として、又はその上、切り替え材料は、金属酸化物、金属水酸化物、ビオロゲン、共役高分子、金属配位複合体、金属ヘキサシアノクロム酸、及び／又は金属フタロシアニンなどの少なくとも１つのエレクトロクロミック材料を有してよい。少なくとも１つのエレクトロクロミック材料は、電圧が最上層２４に印加される場合に、より高い又はより低い透過率へ変化するよう構成されてよい。電圧は、透過率の変化を引き起こすように最上層２４の領域２８ａ〜２８ｃに印加され得る。
【００６３】
発光モジュールは、更なるコントラストもたらすように発光素子１６ａ〜１６ｃの間に配置された反射要素などの少なくとも１つの光遮蔽要素を更に有してもよい。
【００６４】
照明デバイス１４は、例えば、写真撮影の分野では、適応カメラフラッシュライトとして、あるいは、自動車照明として、特に自動車用のヘッドライトとして、構成されてよい。
【図１】
2021508406.tif 000003
【図２】
2021508406.tif 000004
【図３】
2021508406.tif 000005
【図４】
2021508406.tif 000006
【図５】
2021508406.tif 000007
【図６】
2021508406.tif 000008
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
互いに隣接して配置され、発光側に向かって光を放つよう構成される発光素子を備えた発光モジュールと、
前記発光側で前記発光モジュールの上に配置された最上層と
を有し、
前記最上層が、前記発光素子によって放たれる前記光に対する透過率の可逆変化が可能な切り替え材料を有する、照明デバイスであって、
前記発光モジュールは、前記発光素子の一部がスイッチオン状態に至らせられ得、一方、他の発光素子がスイッチオフ状態に至らせられ得るという点で、前記発光素子が互いから少なくとも部分的に独立してアドレッシング可能であるように構成され、
前記最上層は、前記スイッチオフ状態にある発光素子の上にある前記最上層の領域における透過率と比較して、前記スイッチオン状態にある発光素子の上にある前記最上層の領域においてより高い透過率へ変化するよう構成される、
ことを特徴とする照明デバイス。
【請求項２】
前記スイッチオン状態にある発光素子の上にある前記最上層の領域は、半透明特性を有する、
請求項１に記載の照明デバイス。
【請求項３】
前記切り替え材料は、少なくとも１つのサーモクロミック材料を有する、
請求項１又は２に記載の照明デバイス。
【請求項４】
前記少なくとも１つのサーモクロミック材料は、前記発光素子の動作温度に対応する温度で透過率を変化させるよう構成される、
請求項３に記載の照明デバイス。
【請求項５】
前記少なくとも１つのサーモクロミック材料は、少なくとも１つのロイコ染料及び／又は少なくとも１つの金属酸化物を有する、
請求項３又は４に記載の照明デバイス。
【請求項６】
前記切り替え材料は、少なくとも１つのエレクトロクロミック材料を有する、
請求項１乃至５のうちいずれか一項に記載の照明デバイス。
【請求項７】
前記少なくとも１つのエレクトロクロミック材料は、電圧が前記最上層に印加される場合に、より高い透過率へ変化するよう構成され、あるいは、前記少なくとも１つエレクトロクロミック材料は、電圧が前記最上層に印加される場合に、より低い透過率へ変化するよう構成される、
請求項６に記載の照明デバイス。
【請求項８】
前記少なくとも１つのエレクトロクロミック材料は、金属酸化物、金属水酸化物、ビオロゲン、共役高分子、金属配位複合体、金属ヘキサシアノクロム酸、及び金属フタロシアニンを有するグループから選択された少なくとも１つを有する、
請求項６又は７に記載の照明デバイス。
【請求項９】
前記最上層は、少なくとも３０％だけ、特に少なくとも７０％だけ、透過率を変化させるよう構成される、
請求項１乃至８のうちいずれか一項に記載の照明デバイス。
【請求項１０】
前記切り替え材料は、前記発光素子によって放たれる前記光に対する光散乱の可逆変化が可能であり、特に、多孔質シリカを有する、
請求項１乃至９のうちいずれか一項に記載の照明デバイス。
【請求項１１】
前記発光モジュールは、前記発光素子の間に配置された少なくとも１つの光遮蔽要素を更に有する、
請求項１乃至１０のうちいずれか一項に記載の照明デバイス。
【請求項１２】
カメラフラッシュライト又は自動車照明として、特に自動車のヘッドライトとして構成される、
請求項１乃至１１のうちいずれか一項に記載の照明デバイス。
【請求項１３】
照明デバイス、特に、請求項１乃至１２のうちいずれか一項に記載の照明デバイスを製造する方法であって、
発光素子が発光側に向かって光を放つように前記発光素子を互いに隣接して配置することによって発光モジュールを設けることであり、該発光モジュールは、前記発光素子の一部がスイッチオン状態に至らせられ得、一方、他の発光素子がスイッチオフ状態に至らせられ得るという点で、前記発光素子が互いから独立してアドレッシング可能であるように構成される、前記設けることと、
前記発光素子によって放たれる前記光に対する透過率の可逆変化が可能な切り替え材料を有する最上層を設けることと、
前記発光側で前記発光モジュールの上に前記最上層を配置することと
を有し、
前記最上層は、前記スイッチオフ状態にある発光素子の上にある前記最上層の領域における透過率と比較して、前記スイッチオン状態にある発光素子の上にある前記最上層の領域においてより高い透過率へ変化するよう構成される、
方法。
【請求項１４】
請求項１乃至１２のうちいずれか一項に記載の照明デバイスの作動方法であって、
前記発光素子の一部をスイッチオン状態に至らせ、他の発光素子をスイッチオフ状態に至らせることと、
前記スイッチオフ状態にある発光素子の上にある前記最上層の領域における透過率と比較して、前記スイッチオン状態にある発光素子の上にある前記最上層の領域においてより高い透過率へ前記最上層を変化させることと
を有する方法。
【請求項１５】
カメラフラッシュライト又は自動車照明として、特に自動車のヘッドライトとしての請求項１乃至１２のうちいずれか一項に記載の照明デバイスの使用。
【手続補正２】
【補正対象書類名】明細書
【補正対象項目名】００１０
【補正方法】変更
【補正の内容】
【００１０】
米国特許第９４３１６３５（Ｂ２）号（特許文献５）には、有機官能層構造を備えた電気的にアクティブな領域を含む発光部品が記載されている。電気的にアクティブな領域の外には、サーモトロピック層が配置されている。  
国際公開第２０１６／１９０８５５（Ａ１）号（特許文献６）には、フレキシブル基板を有する物が記載されている。かような“フレキシブル”オブジェクトは、オブジェクトの通常使用下で、オブジェクトが弾性変形して永久／塑性変形なしでその元の形状に戻る十分な弾性を備えているオブジェクトを指す。かような物の用途は、構造部品の、例えば、ウェアラブルのような電子機器の一部の、必須部分である物であり得る。ウェアラブルは、発光ダイオード（ＬＥＤ）及び／又は有機発光ダイオード（ＯＬＥＤ）光源並びにモノのインターネット（ＩｏＴ）技術と組み合わせてフォトクロミック及び／又はサーモクロミック材料を含み得るフレキシブル“スマート”バンドを含むことができる。 
独国特許出願公開第１０２０１３１０１５３０（Ａ１）号（特許文献７）には、放射メイン面を備えた発光ダイオードチップを有する光電子半導体デバイスが記載されている。固定された発光ダイオードチップに対して、アパーチャは、発光ダイオードチップのメイン放射方向に沿って放射メイン面の下流に常に配置される。ダイアフラムは、コンポーネント筐体の上又は中に取り付けられる。放射メイン面は、少なくとも５０ｐｍの平均エッジ長さを有する。ダイアフラムは、不透明から半透明へ及びその逆に切り替えられ得る。ダイアフラムは、放射伝達のためのまさに１つの開口エリアを備える。ダイアフラムは、放射メイン面の上に連続的にかつコヒーレントに延在する。
【手続補正３】
【補正対象書類名】明細書
【補正対象項目名】００１１
【補正方法】変更
【補正の内容】
【００１１】
【特許文献１】国際公開第２０１７／１３４５８９（Ａ１）号
【特許文献２】米国特許第９８５７０４９（Ｂ１）号
【特許文献３】国際公開第２０１７／１０４３１３（Ａ１）号
【特許文献４】米国特許第９１１７７７６（Ｂ２）号
【特許文献５】米国特許第９４３１６３５（Ｂ２）号
【特許文献６】国際公開第２０１６／１９０８５５（Ａ１）号
【特許文献７】独国特許出願公開第１０２０１３１０１５３０（Ａ１）号
【手続補正４】
【補正対象書類名】明細書
【補正対象項目名】００１３
【補正方法】変更
【補正の内容】
【００１３】
本発明の第１の態様に従って、互いに隣接して配置され、発光側に向かって光を放つよう構成される発光素子を備えた発光モジュールと、発光側で発光モジュールの上に配置された最上層とを有し、最上層が、発光素子によって放たれる光に対する透過率の可逆変化が可能な切り替え材料を有する、照明デバイスであって、発光モジュールは、発光素子の一部がスイッチオン状態に至らせられ得、一方、他の発光素子がスイッチオフ状態に至らせられ得るという点で、発光素子が互いから少なくとも部分的に独立してアドレッシング可能であるように構成され、最上層は、スイッチオフ状態にある発光素子の上にある最上層の領域における透過率と比較して、スイッチオン状態にある発光素子の上にある最上層の領域においてより高い透過率へ変化するよう構成される、ことを特徴とする照明デバイスが提供される。
【国際調査報告】
2021508406.tif 000009
2021508406.tif 000010